(57)【要約】      （修正有）【課題】鉄塔上で電線を短絡するジャンパの長さを予め把握すること。【解決手段】コンピュータに、施工条件データの入力フォームの出力ステップ、入力された施工条件データの保存ステップ、電線の施工時張力・がいし連カテナリ角・電線カテナリ角の算出ステップ、ジャンパソケット出口座標Ｘ０・水平吊架材クランプ点座標Ｘ１・ジャンパ弛度最下点Ｘ２・ジャンパ弛度最下点とジャンパソケット出口座標のＸ座標の中間点Ｘ３・ジャンパソケット出口の近傍点Ｘ４・ジャンパソケット角度電線剛性影響点Ｘ５・水平吊架材角度電線剛性影響点の算出ステップＸ６、７点の拘束点をスプライン曲線で結んだわたり線の長さの算出ステップ、２つのジャンパソケットへの挿入分・水平吊架材両端のスペーサーの支持点の間隔分・２つのわたり線分との合計値算出ステップを実行させる吊架式ジャンパ装置のジャンパ実長計算プログラム。【選択図】図２６
2005237114.tif 000002
【特許請求の範囲】
【請求項１】
２本の電線（４）を短絡する１本のジャンパ（５）と、ジャンパ（５）の両端部に取り付けるジャンパソケット（７）と、ジャンパの中間部を水平に支持するスペーサー（８）付きの水平吊架材（９）と、水平吊架材を吊り下げる斜吊材（１０）とからなり、そのジャンパソケット及び斜吊材の上端部を鉄塔アーム（２）の横幅方向両側から別々に延びるがいし装置（３）に間隔をあけて固定する吊架式ジャンパ装置において、ジャンパを、２つのジャンパソケットへの挿入分と、水平吊架材両端のスペーサーの支持点の間隔分と、同じ側のジャンパソケットと両端の支持点の間を繋ぐ２つのわたり線分に計算上分け、わたり線が７点の拘束点を通過すると想定してわたり線分の長さを近似的に算出し、分けたものを合計することによってジャンパの実長を算出するためにコンピュータに、
線路条件・気象条件・電線条件・がいし装置条件・吊架式ジャンパ装置条件からなる施工条件データを入力させる入力フォーム（３５〜３９）を表示装置（２７）に出力するステップ（Ｓ１）と、  入力装置（２６）から入力された施工条件データを記憶装置（３０）に保存するステップ（Ｓ３）と、  施工条件データに基づいて電線の施工時張力を算出するステップ（Ｓ４．１）と、  施工条件データと施工時張力に基づいてがいし連カテナリ角（α）を算出するステップ（Ｓ４．２）と、  施工条件データと施工時張力に基づいて電線カテナリ角を算出するステップ（Ｓ４．３）と、
がいし連カテナリ角と電線カテナリ角と施工条件データに基づいて吊架式ジャンパ装置のジャンパソケット出口の座標を、全７つの拘束点の一つとして算出するステップ（Ｓ４．４）と、  施工条件データに基づいて水平吊架材の支持点座標を拘束点の一つとして算出するステップ（Ｓ４．５）と、  他の５点の拘束点としてジャンパ弛み度最下点、ジャンパ弛み度最下点とジャンパソケット出口座標のＸ座標の中間点、ジャンパソケット出口の近傍点、ジャンパソケット出口の近傍点よりもジャンパソケット出口に近く且つジャンパソケット角度による電線剛性の影響が表れる点、及び水平吊架材角度による電線剛性の影響が表れる点を電線カテナリ角と施工条件データに基づいて推定して算出するステップ（Ｓ４．６）と、  ７点の拘束点をスプライン曲線で結ぶことによってわたり線の形を模擬しその模擬したスプライン曲線に基づいてわたり線の長さを算出するステップ（Ｓ４．７）と、  ２つのジャンパソケットへの挿入分と、水平吊架材両端のスペーサーの支持点の間隔分と、同じ側のジャンパソケットと両端の支持点の間を繋ぐ２つのわたり線分の合計値を算出し、その算出結果を表示装置に表示するステップ（Ｓ４．８，Ｓ５）を実行させるための吊架式ジャンパ装置のジャンパ実長計算プログラム。
【発明の詳細な説明】
【技術分野】
【０００１】
本発明は、ジャンパの中間部分をスペーサー付きの水平吊架材にある程度長く沿わせ、水平吊架材の両端を斜吊材でがいし装置に吊り下げる吊架式ジャンパ装置において、そのジャンパの実長をコンピュータで高精度に求めることのできる計算プログラムに関する。
【背景技術】
【０００２】
鉄塔間に電線を架設する場合、鉄塔アームの両側にがいし装置を介して電線を固定し、双方のがいし装置にジャンパ装置を固定することによって、２本の電線をジャンパで短絡させている。がいし装置は、その先部に付いている電線用ソケットに電線端部を接続し、電線用ソケットの一部に吊架式ジャンパ装置のジャンパソケットが着脱可能に固定され、ジャンパソケットにジャンパの端部を接続する。そして、電線用ソケットとジャンパソケットが二股に分岐する形態で一体となったものをクランプと称する。
【０００３】
また、ジャンパは、両端部をジャンパソケットで圧縮することによって取り付けられるが、取付前には、必要なジャンパの長さが分からなかった。そして、ジャンパはジャンパ装置の一部であることから、ジャンパの取付作業は以下の要領で行われていた。まず、がいし装置を引き上げて電線を接続し、鉄塔のアームに固定する。その次に、片側にジャンパソケットが付いたジャンパを引き上げて、ジャンパの形状、離隔距離等を実際に試してみて、必要な長さを把握していた。そして、必要な長さとなる端部を切断箇所としてマーキングした後、ジャンパ装置を地上に降ろして機材によって切断し、ジャンパの残りの片側にジャンパソケットを機材を用いて取り付けた上で、再度、ジャンパ装置を鉄塔に引き上げてがいし装置に固定するという一連の作業を強いるものであった。また、マーキング後にジャンパ装置を地上に降ろさずに、切断及び接続に必要な機材を鉄塔に引き上げて、ジャンパを高所で切断及び接続することも行われている。
【発明の開示】
【発明が解決しようとする課題】
【０００４】
しかしながら、鉄塔上でジャンパに必要な長さを把握するという点では、何れの方法も同じであり、危険性が大きかった。また、ジャンパに必要な長さが予めわかってないため、作業効率が悪かった。
【０００５】
本発明は上記実情を考慮して開発されたもので、計算プログラムをコンピュータに実行させることによって予めジャンパの必要な長さを把握し、それによって上記した危険性を回避すると共に、作業効率を向上することを解決課題とする。
【課題を解決するための手段】
【０００６】
本発明の吊架式ジャンパ装置のジャンパ実長計算プログラムは、２本の電線を短絡する１本のジャンパと、ジャンパの両端部に取り付けるジャンパソケットと、ジャンパの中間部を水平に支持するスペーサー付きの水平吊架材と、水平吊架材を吊り下げる斜吊材とからなり、そのジャンパソケット及び斜吊材の上端部を鉄塔アームの横幅方向両側から別々に延びるがいし装置に間隔をあけて固定する吊架式ジャンパ装置において、そのジャンパの実長を算出するために、以下の思想で作られている。
【０００７】
ジャンパを、２つのジャンパソケットへの挿入分と、水平吊架材両端のスペーサーの支持点の間隔分と、同じ側のジャンパソケットと両端の支持点の間を繋ぐ２つのわたり線分に計算上分ける。ジャンパソケットへの挿入分の長さは、ジャンパソケットの製品仕様から把握する。水平吊架材両端のスペーサーの支持点の間隔は、吊架式ジャンパ装置の製品仕様から把握する。わたり線の長さは、わたり線が７点の拘束点を通過すると想定してわたり線分の長さを近似的に算出する。そして、分けたものを合計することによってジャンパの実長を算出する。
【０００８】
そして、コンピュータに、線路条件・気象条件・電線条件・がいし装置条件・吊架式ジャンパ装置条件からなる施工条件データを入力させる入力フォームを表示装置に出力するステップと、  入力装置から入力された施工条件データを記憶装置に保存するステップと、  施工条件データに基づいて電線の施工時張力を算出するステップと、  施工条件データと施工時張力に基づいてがいし連カテナリ角を算出するステップと、  施工条件データと施工時張力に基づいて電線カテナリ角を算出するステップと、  がいし連カテナリ角と電線カテナリ角と施工条件データに基づいて吊架式ジャンパ装置のジャンパソケット出口の座標を、全７つの拘束点の一つとして算出するステップと、  施工条件データに基づいて水平吊架材の支持点座標を拘束点の一つとして算出するステップと、  他の５点の拘束点としてジャンパ弛み度最下点、ジャンパ弛み度最下点とジャンパソケット出口座標のＸ座標の中間点、ジャンパソケット出口の近傍点、ジャンパソケット出口の近傍点よりもジャンパソケット出口に近く且つジャンパソケット角度による電線剛性の影響が表れる点、及び水平吊架材角度による電線剛性の影響が表れる点を電線カテナリ角と施工条件データに基づいて推定して算出するステップと、  ７点の拘束点をスプライン曲線で結ぶことによってわたり線の形を模擬しその模擬したスプライン曲線に基づいてわたり線の長さを算出するステップと、  ２つのジャンパソケットへの挿入分と、水平吊架材の老若の支持点の間隔分と、２つのわたり線分の合計値を算出し、その算出結果を表示装置に表示するステップを実行させるためのものである。
【発明の効果】
【０００９】
本発明のプログラムをコンピュータで実行させれば、施工条件を入力するだけで、ジャンパの実長を高精度に求めることができる。従って、地上でジャンパに必要な長さが把握できるので、鉄塔上で長さを把握する作業が不要となり、危険が回避されると共に、作業効率も向上する。
【発明を実施するための最良の形態】
【００１０】
本発明のジャンパ実長計算プログラムの適用対象である吊架式ジャンパ装置１は、図１又は図２に示すように、鉄塔のアーム２の横幅方向両側に固定されたがいし装置３に対して、取り付けるものである。なお、各がいし装置３には４本の電線４を取り付けられるようになっており、各電線４は内側・外側の天線、内側・外側の地線に区別される。そして、二つのがいし装置３に固定する計８本の電線を計４つの吊架式ジャンパ装置１のジャンパ５で短絡する。
【００１１】
吊架式ジャンパ装置１はジャンパ５を両端部だけでなく、全長の中間部分も支持するものであって、図１から図５に示すように、ジャンパ５の両端部にクランプ装置６の一部となるジャンパソケット７を固定し、そのジャンパソケット７をがいし装置３の先部にボルト等で着脱可能に取り付けると共に、ジャンパ５の中間部をスペーサー８付きの水平吊架材９に沿わせ、水平吊架材９の両端部に斜吊材１０を固定し、斜吊材１０をがいし装置３の先部に着脱可能に取り付けたものである。なお、スペーサー８と水平吊架材９と斜吊材１０を組み合わせたものを吊架装置と称呼する。
【００１２】
各がいし装置３は図５に示すように、アーム２への取付具１１（ボルト等で固定する）にアーム側ヨーク１２を揺動可能に連結し、そのアーム側ヨーク１２にがいし連１３を連結し、がいし連１３の先端部の電線側ヨーク１４に対してバーニヤ金具１５を揺動可能に連結し、そのバーニヤ金具１５の先部にクランプ装置６の一部となる電線用ソケット１６を連結したものである。また、バーニヤ金具１５はボルト・ナットの締結箇所の変更によってその全長を伸縮可能に設けたもので、その伸縮機能によってクランプ装置６による電線挟持箇所を現場で調整するものである。なお、その調整に伴って、ジャンパ挟持箇所も微妙に変更することになる。
【００１３】
そして、図６に示すように、アーム２の横幅方向延長線とがいし連１３とで形成される角度が、がいし連カテナリ角αとなり、バーニヤ金具１５の延長線方向、換言すれば電線端部の延長方向と、水平線とで形成される角度が、電線カテナリ角φとなる。図５に示すようにアーム側・電線側ヨーク１２，１４にはアークホーン１７，１８が付いている。
【００１４】
クランプ装置６は図４に示すように、電線用ソケット１６のがいし連側端部からジャンパソケット７が二股に分岐する形態で着脱可能に設けてあるもので、各ソケット７，１６の先部を筒状に形成し、その内部に電線４やジャンパ５の各端部を挿入した後に圧縮することによって、電線４やジャンパ５を挟持するものである。なお、ジャンパソケット７は図４（ロ）に示すように、その上部がコ字状に上向きに開き、電線用ソケット１６のがいし連側端部の外側をその上部が挟む形態となっており、その上部をボルト締めすることによって一体化する。
【００１５】
水平吊架材９は図１、図８又は図９に示すように、Ｈ型鋼であって、その長手方向に沿って複数の風抜穴１９を間隔をあけて形成すると共に、その上下の長手方向に沿って間隔をあけて複数のスペーサー８を固定したものである。スペーサー８は、天線側又は地線側の２本のジャンパを掴んで支持するもので、水平吊架材９の上面又は下面に止める止板２０と、水平吊架材９の中央部分を中心にして止板２０の端部から放射状に延びる２枚の斜板２１と、各斜板２１の先部に付いた挟持具２２とからなり、挟持具２２によってジャンパを支持するものである。そして、水平吊架材９の両端のスペーサー８がジャンパ５を掴んだ箇所を、支持点とする。
【００１６】
図９に示す斜吊材１０は、ロッド２３の全長を伸縮可能なもので、ロッド２３の上端部の留め具２４をがいし装置３の電線側ヨーク１４に固定し、下端部の留め具２５を水平吊架材９の端部に固定してある。
【００１７】
ジャンパ実長計算プログラムは図１０に示すように、キーボードやマウス等からなる入力装置２６、ディスプレイ等からなる表示装置２７、本プログラムの命令を順番に実行するＣＰＵ２８、本プログラム等を記憶しておくＲＡＭ２９、本プログラムの実行に必要なデータ及び計算結果等を保存しておく記憶装置３０を構成要素とする標準的なコンピュータによって実行されるものである。
【００１８】
本プログラムを実行させた場合には、ＣＰＵ２８からの指令によって図１１、図１２に示すような以下の処理（ステップ）が順次行われ、コンピュータが図１３に示すように各種の手段として機能する。処理の概略を説明すれば、まず、第一ステップＳ１では、施工条件入力手段３１が機能して、記憶装置３０に予め保存された各種の施工条件データの入力フォームを読み取って、表示装置２７に入力フォームを順次出力する。そして、第二ステップＳ２では、その入力フォームを見ながら利用者が入力装置２６から施工条件を数値で入力し、最終的に施工条件データの入力が完了したことを入力装置２６に入力する。図１３に示すように第三ステップＳ３では、その入力完了通知を受けて記憶手段３２が機能し、記憶装置３０に施工条件データを書き込んで保存する。次に、第四ステップＳ４では、ジャンパ実長計算手段３３が機能して、記憶装置３０に予め保存された計算式を読み出して、その計算式の変数に対応するデータを、記憶装置３０に保存された施工条件データから抽出し、その抽出結果を変数に代入し、計算式を解いてジャンパの実長の算出を行う。なお、ジャンパの実長及びそのジャンパ実長の算出過程で求めた値は、記憶装置３０に保存しておく。また、ジャンパ実長の算出の仕方の詳細は、後で記す。第五ステップＳ５では、ジャンパの実長の出力手段３４が機能して、最後にそのジャンパの実長の算出結果を記憶装置３０から読み取って、ジャンパの実長及びその関連事項を表示装置２７に出力するという一連の処理が行われる。
【００１９】
上述した第一ステップＳ１中の入力フォームについて詳述する。入力フォームは、線路条件、電線条件、気象条件、がいし装置条件、吊架式ジャンパ装置条件について別々に設けてある。
【００２０】
線路条件入力フォーム３５は図１４に示すように、導体数、導体間隔、若側と老側の水平角、径間長、高低差の各文字表示と、文字表示付近の数値入力欄を設けてある。「導体数」とはアーム２の片側に架設する電線本数を意味する。ちなみに、電線本数を４本として今後の説明をする。「導体間隔」とは、導体同士が離れている距離を意味し、ここでは４本の電線が断面正方形の四隅に配置された状態での離れている距離を意味する（図１９参照）。「若側」とは図１では左側、「老側」とは右側を意味する。「径間長」とは、両端で支持される電線の水平長を意味し、「高低差」とは、電線両端の高低差を意味する。「水平角」とは、図２０に示すように一方のがいし連１３の延長線と他方のがいし連１３とで形成する平面方向から視た角度である。そして、電線４を支持する際には、予めアーム２の延長方向とがいし連とで形成する角度を、若側と老側で一致させることに注意を要する。つまり、その角度を水平角θの半角θ／２となる状態に鉄塔を建てる。このように設置すれば、アーム２に対する双方の電線４からの荷重が均等となり電線４の理想的な支持形態となる。これら数値入力欄に利用者が施工現場状況及び電線製品仕様に基づいて入力装置２６を使って数値を入力し、線路条件入力フォーム３５の下に表示される「次へ」のボタンをクリックすると、入力されたデータが記憶装置３０に保存されると共に、図１５に示すように電線条件入力フォーム３６が表示装置２７に表示される。
【００２１】
電線条件入力フォーム３６は、電線の外径、計算断面積、単位重量、弾性係数、線膨張係数、高温季と低温季の若側及び老側の最大使用張力の各文字表示と、その文字表示付近の数値入力欄を設けてある。「高温季」とは台風襲来時のこと、「低温季」とは電線への着氷雪時のことを意味する。これら数値入力欄に利用者が電線の製品仕様に基づいて入力装置２６を使って数値を入力し、入力フォームの下に表示される「次へ」のボタンをクリックすると、入力されたデータが記憶装置３０に保存されると共に、図１６に示すように気象条件入力フォーム３７が表示装置２７に表示される。
【００２２】
気象条件入力フォーム３７は、高温季の温度、風圧、及び低温季の温度、風圧、被氷厚さ、比重、計算温度の各文字表示と、文字表示付近の数値入力欄とからなる。「計算温度」とはジャンパの施工時の推定温度を意味する。ここで、推定温度としたのは、ジャンパを購入するための発注時期と、実際の施工時期にはタイムラグがあるので、その発注時期では施工時の温度を推定して計算させるためである。これら数値入力欄に利用者が設計条件に基づいて数値を入力して、「次へ」のボタンをクリックすると、入力されたデータが記憶装置３０に保存されると共に、図１７に示すようにがいし装置条件入力フォーム３８が表示装置２７に表示される。
【００２３】
がいし装置条件入力フォーム３８は、アーム幅、ジャンパ重量、若側と老側についてのがいし連長、がいし連重量、天線及び地線の電線側ヨーク〜ジャンパソケット出口の水平寸法・垂直寸法、アーム〜アークホーン下端への水平・垂直寸法、ジャンパソケット挿入寸法、の各文字表示と、その文字表示横の数値入力欄を設けてある。「アーム幅」とはアームの横幅のことである。「がいし連長」とは、図５に示すように、取付具１１とアーム側ヨーク１２の支点から、電線側ヨーク１４とバーニヤ金具１５との支点までの距離である。「電線側ヨーク〜ジャンパソケット出口の水平寸法・垂直寸法」とは、電線側ヨーク１４とバーニヤ金具１５との支点から、ジャンパソケット出口の中心位置までの水平・垂直距離である。「天線、地線」とは、上側の電線、下側の電線である。この入力フォームは、若側と老側で、天線と地線に関連する上述した水平・垂直寸法を入力しているが、図５に示すように、このがいし装置３では片側４本の電線をクランプするものとなっている。「アークホーンの下端」とは、アーム側アークホーン１７の下端を意味し、前述したようにアースされるアーム２側とジャンパ５との絶縁距離を確認する際の目安位置となる。そして、これらの数値入力欄に利用者ががいし装置３の製品仕様に基づいて数値を入力し、さらにジャンパ５の支持の仕方を選択するために、ジャンパ支持の文字表示横のプルダウンメニューから、Ｖ吊式を選択して、「次へ」のボタンをクリックすると、入力されたデータが記憶装置３０に保存されると共に、図１８に示すように吊架式ジャンパ装置条件入力フォーム３９が表示装置２７に表示される。ちなみに、ジャンパ支持のプルダウンメニューから、別のタイプ（例えば支持なし）を選択した場合には、以後、別の処理が行われる。
【００２４】
吊架式ジャンパ装置条件入力フォーム３９は、天線ジャンパソケット出口〜吊架装置支持点（水平）・（垂直）、支持点からのジャンパ弛み量、天地の支持点距離・内外の支持点距離、ジャンパソケット挿入寸法（共通）、水平吊架材長さ（支持点〜支持点）の各文字表示と、その文字表示横の数値入力欄とからなる。天線ジャンパソケット出口〜吊架装置支持点（水平）・（垂直）の数値入力欄は若側と老側の二つがそれぞれ設けてある。これら数値入力欄に利用者が数値を入力して、「次へ」のボタンをクリックすると、入力されたデータが記憶装置３０に保存されると共に、図１２に示すジャンパ実長を算出する第四ステップＳ４が実行され、その計算過程で求めた値を記憶装置３０に保存しながら、ジャンパ実長が求められる。ちなみに、ジャンパ深さは、設計電圧に対応させて変化する絶縁間隔であって、設計条件から算出することができる。
【００２５】
第四ステップＳ４のプログラムは以下の思想に基づいて作成されている。ジャンパを、２つのジャンパソケットへの挿入分と、水平吊架材の両端の支持点の間隔分（以下、水平吊架材長さ分という）と、同じ側のジャンパソケットと水平吊架材の支持点の間を繋ぐ２つのわたり線分に計算上、分ける。そして、吊架式ジャンパ装置１の製品仕様からジャンパソケットへの挿入分の長さと、水平吊架材長さ分を把握する。また、わたり線の長さを、施工条件データを利用して近似的に求める。近似的に求める仕方は、ジャンパソケット出口点座標と吊架装置の支持点座標をそれぞれ求め、その求めた２つの点をわたり線両端の拘束点とし、求めた２つの点等に基づいてわたり線が通過するであろう他の５つの拘束点を求め、全７つの拘束点を通過するスプライン曲線がわたり線の模擬曲線であるとし、そのスプライン曲線を利用してわたり線の長さを求める仕方である。このスプライン曲線を若側と老側について求める。そして、その求めた値に、ジャンパソケットへの挿入分の長さと水平吊架材長さを加算することで、ジャンパの実長が求まる。
【００２６】
そして、第四ステップＳ４では図１２に示すように、ジャンパソケット７の出口座標を算出するための変数を得るために、ジャンパ４の施工時張力を算出するステップＳ４．１、がいし連カテナリ角を算出するステップＳ４．２、電線カテナリ角を算出するステップＳ４．３が、順次行われる。ここで、ジャンパソケット出口座標を算出するには、図３に示すようにがいし連カテナリ角αだけがいし装置３がｚ軸方向（鉛直方向）に傾いているので、がいし連カテナリ角を算出して用いることが必要である。また、電線側ヨーク１４からクランプ装置６までが電線カテナリ角φだけｚ軸方向に傾いているので、電線カテナリ角φを算出して用いることがジャンパソケット出口座標をより高精度に求めるには必要である。
【００２７】
がいし連カテナリ角αを求めるには後述するが、計算用の変数として施工時張力が必要である。そこで、ジャンパの実長を算出する第四ステップＳ４では、最初にジャンパの施工時張力を算出するステップＳ４．１が実行される。このステップＳ４．１では、図１３中のがいし連カテナリ角算出手段４０が機能して、図２２に示すように、高温季の負荷係数を算出するステップＳ４．１-１、低温季の負荷係数を算出するステップＳ４．１-２、高温季・低温季の負荷係数を利用して臨界径間を算出するステップＳ４．１-３がまず実行される。各ステップでは、予め記憶装置３０には各種の計算式が保存されていて、その計算式を読み込んで、その計算式の変数に対応するデータを、施工条件データや計算結果データから抽出し、抽出結果を変数に代入し、計算式を解き、計算結果を得、その計算結果を記憶装置３０に保存し、次のステップに移行するという処理を順番に行う。
【００２８】
ここで「負荷係数」とは、電線にかかる荷重としては自重（単位重量）、風圧荷重、被氷荷重の３つがあるが、これらの合成荷重の大きさの自重に対する比率のことを意味する。「臨界径間」とは、ある径間長を境としてそれより長径間では高温季荷重の方が酷であり、それより短径間では低温季荷重の方が酷であるという境目となる径間長を意味する。
【００２９】
高温季の負荷係数qH、及び低温季の負荷係数qＬは、下記式（１）の変数に、施工条件データのうち対応するものを代入し、式を解いて求める。
【数１】
2005237114.tif 000003
ww＝風圧荷重（ww＝P×d）、wi ＝被氷荷重（wi＝ST×π×C×（d＋ST））、w ＝電線自重  、Ｐ＝風圧（高温季風圧PH、低温季風圧PL）、ｄ＝外径、ST＝被氷厚さ、C＝被氷比重である。これらは、気象条件、電線条件データとして記憶装置３０に保存されている。
【００３０】
また、臨界径間は下記式（２）の変数に、高温季・低温季の負荷係数、施工条件データのうち対応するものを代入し、式を解いて求める。
【数２】
2005237114.tif 000004
【００３１】
臨界径間を算出するステップＳ４．１-３を実行した後には、まず、若側について高温季と低温季のいずれが最悪条件かを判定するステップＳ４．１-４に移行する。ここでは、まず、負荷係数と低温季負荷係数を記憶装置３０から読み込み、次の計算式、即ち(qH2-qL2)に読み込んだ値を代入し、式を解いて計算結果を求め、(qH2-qL2)＜０の場合は、低温季が最悪条件であるので、低温季負荷係数を次のステップＳ４．１-５で用いる弛度計算式の負荷係数用変数として設定する。一方、(qH2-qL2)≧０の場合は、若側の径間長Sと臨界径間SCを記憶装置３０から順次読み込み、いずれが長いか又は同じであるかを減算式によって判定し、臨界径間SCの方が長い場合には低温季が最悪条件であるので、低温季負荷係数、高温季最大使用張力、低温季温度を次のステップＳ４．１-５で用いる弛度計算式の最悪条件の負荷係数用変数q、最大使用張力用変数Tmax、温度ｔとして設定する。一方、径間長Sの方が長い場合には、高温季が最悪条件であるので、高温季負荷係数等を同様に最悪条件の負荷係数用変数等として設定する。さらに、減算式の結果が０の場合は、いずれも最悪条件なので、どちらを用いても良いのであるが、プログラムとしては高温季を最悪条件として選択するものとし、その選択結果に基づいて同様に設定する。
【００３２】
続いて、次のステップＳ４．１-５に移行し、ここでは、下記式（３）からなる弛度計算式
【数３】
2005237114.tif 000005
を用いる。但し、下記の３式（４）（５）（６）の条件があるものとする。
【数４】
2005237114.tif 000006
【数５】
2005237114.tif 000007
【数６】
2005237114.tif 000008
【００３３】
そして、上記弛度計算式（３）に必要な変数を、記憶装置３０から読み込んで、その読み込んだ値を代入し、式を解いて施工時の単位断面積あたりの張力f’を求め、次に、その算出結果と計算断面積Ａを、T’=Af’の各変数に代入し、式を解いて施工時張力T’を算出し、その算出結果を記憶装置３０に保存する。ｑ’：１（施工時の負荷係数）、Ｅ：弾性係数、w：単位重量、S：径間長、α：線膨張係数、t’：施工時温度、t：最悪条件温度、A：計算断面積、Tmax：最大使用張力、δ：w/A（即ち単位断面積あたりの重量）とする。
【００３４】
次に、同様の仕方によって、老側について高温季と低温季のいずれが最悪条件かを判定するステップＳ４．１-６、弛度計算式を解いて老側の施工時張力を算出するステップＳ４．１-７を順番に実行し、その後、がいし連カテナリ角を算出するステップＳ４．２に移行する。
【００３５】
がいし連カテナリ角を算出するステップＳ４．２は、以下の思想に基づいて作られている。図６又は図７に示すように、がいし連１３の先端には電線の施工時張力Ｔ’と電線重量が働いており、且つがいし連１３の中心にはがいし連の重量Ｉが働いている。よって、がいし連を上方に引き上げる方向のモーメントＭupはＴ’λsinαで、下方に引き下げる方向のモーメントＭdownは、下記式（７）に示すように、
【数７】
2005237114.tif 000009
で表される。λ：がいし連長、Ｉ：がいし連重量、T’：施工時張力、ｈ：高低差、Ｎ：導体数、ｗｊ：ジャンパ重量、とする。上下にはたらくモーメントは釣り合っているので、下記式（８）の関係を保つ。
【数８】
2005237114.tif 000010
【００３６】
上記式（８）を展開すれば、下記式（９）となる。
【数９】
2005237114.tif 000011
この式を解けば、tanαが求まり、その結果αが求まる。
【００３７】
従って、がいし連カテナリ角を算出するステップＳ４．２では、図５中のがいし連カテナリ角算出手段４０が機能して、まず若側のがいし連カテナリ角αを算出するために、上記式（９）に用いる変数に対応するデータを、記憶装置３０から読み込んで、上記式（９）に代入して式を解いて、tanαを求める。そして、記憶装置３０内には、tanαの数値とその数値に対応する角度が関連づけられたデータテーブルが予め保存されているので、tanαの数値に対応する角度をデータテーブルから抽出して、その抽出結果をがいし連カテナリ角として記憶装置３０に保存する。続いて、同様の処理で、老側のがいし連カテナリ角を算出し、その算出結果を記憶装置３０に保存する。
【００３８】
図１２に示すようにがいし連カテナリ角を算出するステップＳ４．２が終了すると、続いて、電線カテナリ角算出手段４１が機能して（図１３参照）、電線カテナリ角を算出するステップＳ４．３が実行される。このステップＳ４．３は、以下の思想で作られている。
【００３９】
図７に示すように二点Ａ，Ｂを支持点とする電線のなす曲線の形は、近似的に放物線とみなすことから、下記式（１０）のように、
【数１０】
2005237114.tif 000012
で表される。但し、ｃ：電線の最下点。
【００４０】
そして、また、下記式（１１）のように
【数１１】
2005237114.tif 000013
である。そして、電線の端部における電線の傾斜は、上記式（１１）を微分した下記式（１２）のように、
【数１２】
2005237114.tif 000014
で表される。また、下記式（１３）のように、
【数１３】
2005237114.tif 000015
で表されることから、電線カテナリ角は、上記式（１１）の関係を利用して、下記式（２０）のように、
【数１４】
2005237114.tif 000016
で表される。ｈ：高低差
【００４１】
従って、電線カテナリ角を算出するステップＳ４．３では、図５中の電線カテナリ角算出手段４１が機能して、まず、若側の電線カテナリ角を算出するために、上記式（１４）に用いる変数に対応するデータを、記憶装置３０から読み込んで、上記式（１４）に代入して式を解き、その計算結果に対応する角度を、記憶装置３０内のデータテーブルから抽出して、その抽出結果を電線カテナリ角として記憶装置３０に保存する。続いて、同様の処理で、老側の電線カテナリ角を算出し、その算出結果を記憶装置３０に保存する。
【００４２】
図１２に示すように電線カテナリ角を算出するステップＳ４．３が終了すると、続いて、ジャンパソケット出口座標算出手段４２が機能して（図１３参照）、ジャンパソケット出口の座標を算出するステップＳ４．４を実行する。
【００４３】
このステップは、以下の思想で作られている。ジャンパソケット出口座標を算出する際には、図３に示すようにがいし連１３がアーム２に対してがいし連カテナリ角αだけｚ軸方向に傾いていること、バーニヤ金具１５が水平線に対して電線カテナリ角φだけｚ軸方向に傾いていること、図２０に示すように平面視した場合にアーム２に対してがいし連１３が水平角の半分θ／２だけｙ軸方向に傾いていることを反映させる必要がある。また、前述したように鉄塔を設置する際には、予め若側の水平角の半分θ／２と老側の水平角の半分θ／２が一致する位置に鉄塔を建てることに注意を要する。このように設置すれば、電線の理想的な支持形態となると共に、アームの横幅方向がｘ軸方向となり、ｘ軸を水平角の半分θ／２だけｙ軸方向に回転した場合に、平面視した状態のがいし連１３の延長方向となる。
【００４４】
また、何事も座標を求めるには、まず、原点が必要となるので、図３に示すようにアーム２の中心を原点（０，０，０）とする。ここでは、計算上、原点からジャンパソケット出口までの、アーム２及びがいし装置３を棒状物と考える。また、アーム２としての棒状物を半分に分割し、がいし装置３としての棒状物をアーム１への取付前の水平に保持した状態で複数の要素に分割する。そして、がいし連カテナリ角、水平角の半分、電線カテナリ角だけ傾いていることを反映させて、これら分割した要素単独の先端（ジャンパソケット側）の仮の座標を算出する。最後に、全ての仮の座標を加算することによって、ジャンパソケット出口の座標が求まる。
【００４５】
詳細に説明すれば、アーム２を半分に分割して、その長さをＬ０／２とする。また、がいし装置３を取付具１１の支点から電線側ヨーク１４の中心まで、電線側ヨーク１４の中心からバーニヤ金具１５の取付位置までの垂直寸法・水平寸法、バーニヤ金具１５の取付位置からジャンパソケット出口までの水平寸法・垂直寸法に分割し、各々の長さを順番にＬ１、Ｌ２／２、Ｌ５／２、Ｌ３、Ｌ４とする（図３、図５参照）。上記長さは、各種の入力フォームから得られる。アームの半分Ｌ０／２は、図１７中の、アーム幅の１／２に相当する。取付具１１の支点から電線側ヨーク１４の中心までの距離Ｌ１は、図１７中の、がいし連長に相当する。電線側ヨーク１４の中心からバーニヤ金具１５の取付位置までの垂直成分Ｌ２／２・水平成分Ｌ５／２は、図１４中の、導体間隔の１／２に相当する。バーニヤ金具１５の取付位置からジャンパソケット出口までの水平寸法Ｌ３・垂直寸法Ｌ４は、図１７中の、電線側ヨーク〜ジャンパソケット出口までの水平寸法・垂直寸法に相当する。
【００４６】
そして、取付具１１の支点から電線側ヨーク１４の中心まで（がいし連長）Ｌ１と、電線側ヨーク１４の中心からバーニヤ金具１５の取付位置までの垂直寸法Ｌ２／２・水平寸法Ｌ５／２の各要素については、がいし連カテナリ角、水平角の半分だけ傾いていることを考慮して、各要素の先端の仮の座標を求める。最初に、該垂直寸法Ｌ２／２は、その長さをそのままｚ座標に設定し、ｘ座標、ｙ座標については０とまず設定する。つまり、該垂直寸法Ｌ２／２の座標を暫定的に（０，０，ｚ）とする。また、がいし連長Ｌ１と水平寸法Ｌ５／２は、その長さをｘ座標に設定し、ｙ座標、ｚ座標を０と設定する。つまり、各要素の座標を暫定的に（ｘ、０，０）とする。そして、これらの暫定的な座標をｙ軸方向に水平角の半分だけ回転させ、次に、ｚ軸方向にがいし連カテナリ角αだけ回転させるという具合に３次元回転する。
【００４７】
また、電線側ヨーク〜ジャンパソケット出口までの水平寸法Ｌ３・垂直寸法Ｌ４の各要素については、電線カテナリ角、水平角の半分だけ傾いていることを考慮して、各要素の先端の仮の座標を求める。つまり、水平寸法Ｌ３・垂直寸法Ｌ４は、その長さをｘ座標に設定し、ｙ座標、ｚ座標を０と設定する。つまり、各要素の座標を暫定的に（ｘ、０，０）とする。そして、これらの暫定的な座標をｙ軸方向に水平角の半分だけ回転させ、次に、ｚ軸方向にがいし連カテナリ角αだけ回転させるという具合に３次元回転する。
【００４８】
このようにして求まった各３次元の仮の座標と、アームの半分のｘ座標を加算すれば、ジャンパソケット出口の座標が求まる。
【００４９】
従って、ジャンパソケット出口の座標を算出するステップＳ４．４では（図１２参照）、ジャンパソケット出口座標算出手段４２が機能して、まず、若側の外側天線のジャンパソケット出口座標を求めるために、記憶装置３０からアーム幅Ｌ０を読み込んで、アーム幅を半分に割り算し、その値を一時的に保存する。また、記憶装置３０から若側の水平角、がいし連カテナリ角、がいし連長Ｌ１、電線側ヨーク１４の中心からバーニヤ金具１５の取付位置までの垂直寸法Ｌ２／２、水平寸法Ｌ５／２を順次読み込んで、各々を上述した暫定的な座標に設定し、水平角の半分及びがいし連カテナリ角分だけその暫定的な座標を３次元回転し、座標を求め、その求めた値を一時的に保存する。次に、電線側ヨーク〜ジャンパソケット出口までの水平寸法Ｌ３・垂直寸法Ｌ４、電線カテナリ角を順次記憶装置３０から読み込んで、各々を上述した暫定的な座標に設定し、水平角の半分及び電線カテナリ角分だけその暫定的な座標を３次元回転し、座標を求め、その求めた値を一時的に保存する。そして、現在求めた値を合計し、その加算したｘ座標に−を付加することによって、若側の外側天線のジャンパソケット出口座標を求め、ジャンパソケット出口座標及びその算出過程で求めた値を記憶装置３０に保存する。ここで、−を付加したのは、若側のｘ座標はマイナスになるからである。以後、同じ要領で若側の内側天線、若側の外側地線・内側地線についてのジャンパソケット出口座標を求め、さらに、老側についても同様にジャンパソケット出口座標を求め、求めた値などを記憶装置３０に保存する。そして、図１２に示すようにジャンパソケット出口の座標を算出するステップＳ４．４が終了すると、続いて、吊架装置の支持点座標算出手段４３が機能して、吊架装置支持点座標を算出するステップＳ４．５が実行される。
【００５０】
吊架装置の支持点座標を算出するステップＳ４．５は図２３に示すように、まず、若側と老側の斜吊材の取付点座標を算出するステップＳ４．５-１が行われ、次に、その取付点座標を利用しながら支持点のｘ，ｙ座標を求めるための各種ステップが行われ、最後に、支持点のｚ座標を求めるための各種ステップが行われる。
【００５１】
斜吊材の取付点座標を算出するステップＳ４．５-１は、ジャンパソケット出口座標を算出するステップと同じ考えに基づいて作成されている。つまり、アームの中心を原点（０,０,０）とする。そして、原点から斜吊材の取付点までの構成物（アームの半分、がいし装置の取付具から電線側ヨークの中心まで、電線側ヨークの中心から斜吊材の取付点まで）を各々分割した棒状の要素と考える。各要素の長さは製品仕様から把握できるので、水平に保持した状態で各要素の先端の仮の座標を求め、次に、その仮の座標をがいし連カテナリ角α、水平角θの半分だけ傾けるという三次元回転を行って各要素の先端の暫定的な座標を求め、最後に各要素の暫定的な座標を加算することによって、斜吊材の取付点の座標が求まる。
【００５２】
詳細に説明すれば、アームを半分に分割してその長さをＬ０／２とする。また、がいし装置３を取付具１１から電線側ヨーク１４の中心まで、電線側ヨーク１４の中心から斜吊材の取付点までの垂直成分・水平成分に分ける。各々の長さを順番にＬ１、Ｌ６、Ｌ７とする（図５参照）。アームの半分及び取付具１１から電線側ヨーク１４の中心までの距離は各種の入力フォームから得られる。アームの半分は、図１７中の、アーム幅の１／２に相当する。取付具１１から電線側ヨーク１４の中心までの距離は、図１７中の、がいし連長に相当する。電線側ヨーク１４の中心から取付点までの垂直成分Ｌ６・水平成分Ｌ７は、０．２、０．０８５（単位ｍ）という値になる製品を作る。そして、アームの半分以外の要素については、がいし連カテナリ角、水平角の半分を考慮して三次元回転することによって各要素の先端の暫定的な座標を求め、最後に各要素の暫定的な座標を加算することによって、斜吊材の取付点の座標が求まる。
【００５３】
従って、斜吊材の取付点座標を算出するステップＳ４．５-１では（図２３参照）、図１３中の吊架装置の支持点座標算出手段４３が機能して、まず若側の斜吊材の取付点座標を求めるために、記憶装置３０からアーム幅を読み込んで、アーム幅を半分に割り算し、その値を一時的に保存する。また、記憶装置３０から若側の水平角、がいし連カテナリ角、がいし連長を順次読み込んで、がいし連長を上述した仮の座標に設定し、水平角の半分及びがいし連カテナリ角分だけその仮の座標を三次元回転し、暫定的な先端の座標を求め、その求めた座標を一時的に保存する。また、電線側ヨーク１４の中心から取付点までの垂直成分・水平成分の長さである、０．２、０．０８５についても同様に三次元回転し、求めた暫定的な先端の座標を一時的に保存する。そして、半分のアーム幅と求めた各座標を合計し、斜吊材の取付点座標を求め、その求めた座標を記憶装置３０に保存する。続いて、老側についても同様にして斜吊材の取付点座標を求め、その座標を記憶装置３０に保存する。そして、斜吊材の取付点座標を算出するステップＳ４．５-１が終了すると、図２３に示すように続いて、支持点のｘ，ｙ座標を求めるための各種ステップとして、まず、内線と外線の支持点の中間点からのズレ量を算出するステップＳ４．５-２が実行される。
【００５４】
内線と外線の支持点の中間点からのズレ量を算出するステップＳ４．５-２は、図２４に示すように、まず、老側と若側の斜吊材の取付点gSp1、gSp2を結ぶ線分のＸ−Ｙ平面における傾きを把握し、吊架式ジャンパ装置条件入力フォームで入力した内外の支持点距離を、傾きに合わせてＸ，Ｙ成分に分けた上で半分にするという思想に基づく。図２４では、説明の便宜上、支持点の中間点gSg1、gSg2からジャンパ５を引き出し、内線と外線のジャンパソケット出口の中間点gJtmid1、gJtmid2にジャンパを導いている。
【００５５】
従って、内線と外線の支持点の中間点からのズレ量を算出するステップＳ４．５-２では、吊架装置の支持点座標算出手段４３が機能して、老側と若側の斜吊材の取付点gSp1、gSp2のｘ，ｙ座標を記憶装置３０から順次読み込む。そして、両取付点間のｘ、ｙ成分の距離ｘ0，ｙ0を求めるために、以下の計算式（１５）（１６）を記憶装置３０から読み込み、
【数１５】
2005237114.tif 000017
【数１６】
2005237114.tif 000018
その変数に取付点のｘ，ｙ座標を代入し、計算式を解いて、その求めた値x0、y0を一時的に保存しておく。また、内外の支持点間の距離Wと、下記式（１７）（１８）を記憶装置３０から読み込んで、
【数１７】
2005237114.tif 000019
【数１８】
2005237114.tif 000020
その変数に対応する値を代入して計算式を解いて、内外の支持点間の距離に対するＸ−Ｙ平面での傾きを考慮するためのｘ，ｙ成分Wp(x)、Wp(y)を求める。そして、求めたWp(x)、Wp(y)を半分に割り算し、その計算結果を、中間点を基準とする内外の支持点のズレ量として記憶装置３０に保存する。なお、図２４（ロ）に示すように、外線のズレ量は＋Wp(x)/２、−Wp(y)/２とし、内線のズレ量は−Wp(x)/２、＋Wp(y)/２とする。そして、内外の支持点の中間点からのズレ量を算出するステップＳ４．５-２が終了すると、続いて、図２３に示すように内外のジャンパソケット出口の中間点座標を算出するステップＳ４．５-３が実行される。
【００５６】
内外のジャンパソケット出口の中間点座標を算出するステップＳ４．５-３では、吊架装置の支持点座標算出手段４３が機能して、まず若側天線用の内線と外線のジャンパソケット出口座標gJtin、gJtoutのうちｘ，ｙ座標を記憶装置３０から読み込み、下記式（１９）（２０）に代入して、その計算式を解いてジャンパソケット出口の中間点座標を求め、その求めた座標を若側天線用のジャンパソケット出口の中間点として記憶装置３０に保存する。
【数１９】
2005237114.tif 000021
【数２０】
2005237114.tif 000022
以後、同様にして若側地線用、老側天線用、老側地線用のジャンパソケット出口の中間点を求め、それぞれを記憶装置３０に保存する。そして、内外のジャンパソケット出口の中間点座標を算出するステップＳ４．５-３が終了すると、図２３に示すように続いて、吊架装置の支持点座標算出手段４３が機能して、吊架装置の内外支持点の中間点座標を算出するステップＳ４．５-４が実行される。
【００５７】
吊架装置の内外支持点の中間点座標を算出するステップＳ４．５-４は以下の思想に基づいて作成してある。まず、ジャンパソケット出口の中間点座標gJtmid(Xs,ys)と、斜吊材の取付点gSp(x,y)と、ジャンパソケット出口から吊架装置支持点までの水平距離dLHは、前のステップで求めるか、或いは吊架装置の入力条件フォームから入力してあるので、既知の値である。そして、これらから内外支持点の中間点座標を求めるには、ジャンパソケット出口の中間点座標gJtmid(Xs,ys)と、内外支持点の中間点座標との距離が、ジャンパソケット出口から吊架装置支持点までの水平距離dLHに等しければよい。即ち、下記式（２１）を満たせば良い。
【数２１】
2005237114.tif 000023
また、内外支持点の中間点座標gSg1、gSg2は、斜吊材の取付点gSp1(x,y)、gSp2(x,y)から、若老の取付点間の距離のｘ、ｙ成分、即ちx０、ｙ０をそれぞれ何％か引いた値となる。ここで、若老の取付点間の距離を５０００分割したものとすれば、内外支持点の中間点座標は、下記式（２２）、（２３）で表される。
【数２２】
2005237114.tif 000024
【数２３】
2005237114.tif 000025
但し、カウンタ変数i=1〜2500とする。前述したgSp1、gSp2は、gSpとして上記各式に代入する。そして、上記式の内外支持点の中間点座標のxＬ、ｙＬを下記式（２4）に代入し、カウンタ変数i=1〜2500まで変化させた値をそれぞれ求める。
【数２４】
2005237114.tif 000026
その結果の中で、０か、０に最も近い値を内外支持点の中間点座標と決定する。
【００５８】
従って、吊架装置の内外支持点の中間点座標を算出するステップＳ４．５-４では、吊架装置の支持点座標算出手段４３が機能して、まず若側天線用の内線と外線の中間点座標を求めるために、下記式（２５）、（２６）、（２７）を記憶装置３０から読み込む。
【数２５】
2005237114.tif 000027
【数２６】
2005237114.tif 000028
【数２７】
2005237114.tif 000029
また、ジャンパソケット出口から吊架装置支持点までの水平距離dLHと、若老の取付点間の距離のｘ、ｙ成分、即ちx０、ｙ０と、ジャンパソケット出口座標を記憶装置３０から読み込んで上記式に順番に代入し、カウンタ変数ｉを１から２５００まで１ずつ変化させて代入し、各々の計算結果を得、各々の計算結果をカウンタ変数に関連づけたテーブルとして、記憶装置３０に保存する。このテーブルは、ｎ行×ｍ列のもので、一番左側の列にカウンタ変数を保存し、その右側には各計算結果を記載したものである。そして、テーブル中で、０又は０に最も近似する計算結果を検索して選択し、その選択した計算結果に対応する内外支持点の中間点座標を抽出して、その抽出結果を若側天線用の内外支持点の中間点座標として記憶装置３０に保存する。以後、同様にして、他の内外支持点の中間点座標を求め、記憶装置３０に保存する。そして、吊架装置の内外支持点の中間点座標を算出するステップＳ４．５-４が終了すると、続いて、図２３に示すように吊架装置の支持点ｘ、ｙ座標算出ステップＳ４．５-５が実行される。
【００５９】
吊架装置の支持点ｘ、ｙ座標算出ステップＳ４．５-５では、吊架装置の支持点座標算出手段４３が機能して、まず若側天線用の内外支持点の中間点座標と、中間点を基準とする内外の支持点のズレ量を記憶装置３０から読み込む。そして、外線の支持点のｘ、ｙ座標を求めるために、読み込んだ中間点座標のｘ座標から、ズレ量のｘ成分を引き算すると共に、読み込んだ中間点座標のｙ座標から、ズレ量のｙ成分を引き算して、各々の計算結果を得、外線の支持点のｘ、ｙ座標として記憶装置３０に保存する。次に、内線の支持点座標を求めるために、読み込んだ中間点座標のｘ座標から、ズレ量のｘ成分を足し算すると共に、読み込んだ中間点座標のｙ座標から、ズレ量のｙ成分を足し算して、計算結果を得、内線の支持点のｘ、ｙ座標として記憶装置３０に保存する。次に、他の箇所についても同様に内外の支持点のｘ、ｙ座標を求め、記憶装置３０に保存する。そして、吊架装置の支持点ｘ、ｙ座標算出ステップが終了すると、図２３に示すように続いて、支持点のｚ座標を求めるための各種ステップとして、まず、吊架装置の天線の支持点ｚ座標を算出するステップＳ４．５-６が実行される。
【００６０】
支持点のｚ座標を求めるためのステップＳ４．５-６としては、吊架装置の支持点算出手段４３が機能して、図２に示すようにまず、若側外線用の天線の支持点ｚ座標を算出するために、ジャンパソケット出口gJtのｚ座標と、ジャンパソケット出口から吊架装置支持点までの垂直距離ｄＬｖを記憶装置３０から読み込み、双方の値を加算し、その計算結果を若側外線用の天線の支持点ｚ座標として記憶装置３０に保存する。以後、同様にして他の箇所の支持点ｚ座標を求めて、記憶装置３０に保存する。支持点のｚ座標を求めるためのステップＳ４．５-６が終了すると、続いて、天地の支持点のｚ方向のズレ量を算出するステップＳ４．５-７が実行される。
【００６１】
天地の支持点のｚ方向のズレ量を算出するステップＳ４．５-７では、吊架装置の支持点算出手段４３が機能して、下記式（２８）（２９）を記憶装置３０から読み込み、
【数２８】
2005237114.tif 000030
【数２９】
2005237114.tif 000031
続いて、若側と老側について外線用の天線の吊架装置支持点gSg1、gSg2のｘ、ｚ座標を記憶装置３０から読み込んで上記式（２８）（２９）に代入し、計算結果を得、その計算結果を記憶装置３０に保存する。次に、下記式（３０）（３１）を記憶装置３０から読み込み、
【数３０】
2005237114.tif 000032
【数３１】
2005237114.tif 000033
続いて、入力条件の一つである天地の支持点距離Ｈを記憶装置３０から読み込んで、各変数を上記式（３０）（３１）に代入し、計算結果を得、その計算結果を天地の支持点のｘ、ｚ方向へのズレ量として記憶装置３０に保存する。そして、天地の支持点のｘ、ｚ方向のズレ量を算出するステップＳ４．５-７が終了すると、続いて、吊架装置の地線の支持点ｘ、ｚ座標を算出するステップＳ４．５-８が実行される。
【００６２】
吊架装置の地線の支持点ｘ、ｚ座標を算出するステップＳ４．５-８では、吊架装置の支持点算出手段４３が機能して、若側で地線外側の支持点gSgdownのｘ座標を得るために、下記式（３２）とその変数を記憶装置３０から読み込み、
【数３２】
2005237114.tif 000034
式にその変数を代入して計算結果を得、その計算結果を若側の地線外側の支持点のｘ座標として記憶装置３０に保存する。続いて、同様にして若側の地線内側の支持点のｘ座標を求め、記憶装置３０に保存する。次に、老側の地線外側の支持点のｘ座標を得るために、下記式（３３）とその変数を記憶装置３０から読み込み、
【数３３】
2005237114.tif 000035
式にその変数を代入して計算結果を得、その計算結果を老側の地線外側の支持点のｘ座標として記憶装置３０に保存する。続いて、同様にして老側の地線内側の支持点のｘ座標を求め、記憶装置３０に保存する。
次に、若側の地線外側の支持点のｚ座標を得るために、下記式（３４）とその変数を記憶装置３０から読み込み、
【数３４】
2005237114.tif 000036
式にその変数を代入して計算結果を得、その計算結果を若側の地線外側の支持点のｚ座標として記憶装置３０に保存する。続いて、同様にして若側の地線内側の支持点のｘ座標を求め、記憶装置３０に保存する。次に、老側についても同様に行う。吊架装置の地線の支持点ｘ、ｚ座標を算出するステップＳ４．５-８の終了は、吊架装置支持点座標算出ステップＳ４．５の終了と同義であるので、図１２に示すように終了後には、わたり線の他の５箇所の拘束点を算出するステップＳ４．６が実行される。
【００６３】
わたり線の他の５箇所の拘束点を算出するステップＳ４．６は、図２５に示すように計５つのステップからなり、各ステップでは重回帰分析より得られた推定式や、推定式から得られた結果を利用して座標を算出するもので、以下の思想に基づいて作成されている。
【００６４】
わたり線の形状は、スプライン曲線により模擬でき、そのスプライン曲線が通過する拘束点は図２６に示すように、ジャンパソケット出口角度deg、ジャンパソケット出口点X0と支持点X6間の水平・垂直距離（X0、Z0）、ジャンパ弛み量dipの４つの因子で決定されると考えられる。なお、ここでの水平距離とは、平面視した場合にわたり線の両端点を結ぶ距離のことである。そこで、わたり線を実際に形成して、上記４因子をパラメータとして採寸し、拘束点の推定式を検討した。その結果、下記の７点の拘束点を通過するスプライン曲線を形成すれば、わたり線形状がほぼ模擬できる結果を得た。７点の拘束点は、ジャンパソケット出口点X0と、吊架装置の支持点（以下、支持点）X6と、ジャンパ弛み度最下点X4（以下、最下点）、ジャンパ弛み度最下点とジャンパソケット出口座標のＸ座標の中間点（以下、中間点）X3、ジャンパソケット出口の近傍点（以下ソケット近傍点）X2、ジャンパソケット出口の近傍点よりもジャンパソケット出口に近く且つジャンパソケット角度による電線剛性の影響が表れる点（以下、ソケット側剛性影響点）X1、及び水平吊架材角度による電線剛性の影響が表れる点（以下、水平側剛性影響点）X5である。
【００６５】
ここで、ジャンパソケット出口点X0と、支持点X6の各座標とは、既に求めてある。従って、上記２点を利用しつつ他の５点の座標を求めるのだが、ジャンパソケット出口座標を原点（０，０，０）とし、図２０に示すように平面視して、ジャンパソケット出口点X0と支持点X6を結ぶ方向をｘ軸、それに垂直な方向をｙ軸として、座標を求める。そして、わたり線の他の５箇所の拘束点を算出するステップＳ４．６では、他の５点のうちソケット側剛性影響点X1をまず求めるために、ジャンパソケット角度電線剛性影響点座標算出ステップＳ４．６-１が行われる。
【００６６】
ジャンパソケット角度電線剛性影響点座標算出ステップＳ４．６-１は以下の思想に基づいて作成される。実規模試験の結果からソケット側剛性影響点X1の座標のうちｘ座標、ｚ座標は、以下のdeg関連表に示すようにそのソケット出口角degによって影響を受けることが分かった。
【表１】
2005237114.tif 000037
また、ここでのｙ座標は以下の思想に基づいて求められる。ジャンパソケット出口点X0と吊架装置の支持点X6を結ぶ基準線Ｋを形成する。そして、その基準線Ｋと水平角θの半分の延長線とで形成される角度（電線側角度）と、基準線Ｋと水平吊架材とで形成される角度（水平側角度）が等しい、つまり水平角の１／4になると仮定する。そして、ソケット側剛性影響点X1は図２０に示すように水平角θの半分の線上にあるので、基準線Ｋに対しては水平角の１／4だけずれていることから上述した式で表される。
【００６７】
従って、ジャンパソケット角度電線剛性影響点座標算出ステップＳ４．６-１では、図１３に示すジャンパソケット角度影響点座標算出手段４４が機能して、まず若側のソケット出口角degを求めるために記憶装置３０から電線カテナリ角φと、ソケット出口角degを算出する下記式（３５）
【数３５】
2005237114.tif 000038
を読み込み、計算式を解いてソケット出口角をまず算出し、その算出結果を記憶装置３０に保存する。続いて、その算出結果に対応するソケット出口角を、deg関連表のテーブルから検索して、対応するX1(x)、X1(z)、X1(y)の値や式を読み込んで、値の場合はそのまま座標として記憶装置３０に保存し、式の場合は対応する変数がある場合は別途記憶装置３０からその変数を読み込んで、計算式を解いて、その計算結果を座標として記憶装置３０に保存する。また、老側についても同様に行う。ジャンパソケット角度電線剛性影響点座標算出ステップＳ４．６-１が終了すると、続いて水平吊架材角度影響点座標算出手段４５が機能して、水平側剛性影響点X5を求めるために、水平吊架材角度電線剛性影響点座標算出ステップＳ４．６-２を実行する。
【００６８】
水平吊架材角度電線剛性影響点座標算出ステップＳ４．６-２は、実規模試験の結果より、支持点側剛性影響点X5が下記式（３６）（３７）（３８）で表されることを利用して行われる。
【数３６】
2005237114.tif 000039
【数３７】
2005237114.tif 000040
【数３８】
2005237114.tif 000041
ここで、X0・Z0は、ジャンパソケット出口点と支持点間の水平・垂直距離なので、ジャンパソケット出口点X0の座標と、支持点X6の座標を利用すれば下記式（３９）（４０）で表される。
【数３９】
2005237114.tif 000042
【数４０】
2005237114.tif 000043
【００６９】
従って、水平吊架材角度電線剛性影響点座標算出ステップＳ４．６-２は、水平吊架材角度影響点座標算出手段４５が機能して、先ず若側で天線外側の支持点X6を求めるために、上記式（３９）（４０）とそれに対応する変数を記憶装置３０から読み込み、計算式を解き、その計算結果を若側で天線外側用のX0・Z0として記憶装置３０に保存する。また、記憶装置３０から上記式（３６）（３７）（３８）を読み込み、今求めたX0・Z0と記憶装置３０から読み込んだθを変数として代入して計算式を解き、その結果を記憶装置３０に、若側で天線外側用の支持点X6の各座標として保存する。以後、同様にして他の支持点の各座標を求め、それらを記憶装置３０に保存する。水平吊架材角度電線剛性影響点座標算出ステップＳ４．６-２が終了すると、残りの３点の拘束点である、最下点X4、中間点X3、ソケット近傍点X2を求めるためのステップである、ジャンパ弛み度最下点座標算出ステップＳ４．６-３、ジャンパ弛み度最下点とジャンパソケット出口のＸ座標中間点座標算出ステップＳ４．６-４，ジャンパソケット出口近傍点座標算出ステップＳ４．６-５が順次行われる。
【００７０】
残りの３点の拘束点である、最下点X4、中間点X3、ソケット近傍点X2の求め方は、以下の思想に基づいて作成されている。これらを求める際の元になるのが、最下点X4のｘ座標と、中間点X3のｚ座標と、ソケット近傍点X2のｘ座標であると本発明者は考えて、元になる各々の基本式を、まず重回帰分析により求めた。最下点X4のｘ座標を求めるための基本式は、下記式（４１）で表される。
【数４１】
2005237114.tif 000044
また、ソケット近傍点X2のｘ座標を求めるための基本式は、下記２式（４２）（４３）で表される。
Ｘ2(z)=1000の時は、
【数４２】
2005237114.tif 000045
Ｘ2(z)=1500の時は、
【数４３】
2005237114.tif 000046
さらに、中間点X3のｚ座標を求めるための基本式は下記式（４４）で表される。
【数４４】
2005237114.tif 000047
（Ｋ：補正係数）
但し、Ｚ0≦3000の時にはＫ＝0.98、Ｚ0＞3000の時には、Ｋ＝0.98-0.02/4000*(Ｚ0-3000)とする。
【００７１】
このうち、X4"(x)は以下の思想に基づいて作成されている。まず、両支持点X0、X6の水平距離X0と弛み度最下点X4の水平距離Xdip（図２６参照）との関係が図２７のグラフに示してある。図２７より、弛み度最下点の水平距離Xdipは、ジャンパ弛み量、垂直深さに関係なく、両支持点X0、X6の水平距離X0の１次式でほぼ示されることが分かる。ここで、弛み度最下点の水平距離Xdipの傾向を把握するため、両支持点X0、X6間の位置関係をZ0／X0で無次元化したものを横軸に取り、Xdip／X0を縦軸に取ったものが図２８に示してある。これを見ると、最下点のX座標Ｘ4(x)は、両支持点X0、X6の水平距離X0の約６０％の位置にあることが分かる。
【００７２】
また、図２９（イ）（ハ）は、両支持点X0、X6間の垂直距離Z0を一定とした条件下で、横軸に支持点間の水平距離X0を取り、縦軸にXdip／X0を取ったグラフと、その符号説明図である。図２９（ロ）（ニ）は、支持点間の水平距離X0を一定とした条件下で、横軸にXdip／X0を取り、縦軸に支持点間の垂直距離Z0を取ったグラフと、その符号説明図である。この２つのグラフからも、支持点間の水平距離X0や垂直距離Z0に関係なく、最下点のX座標Ｘ4(x)は、支持点間の水平距離X0の約６０％の位置にあることが分かる。このような関係を図２７に示す特性の線形近似により推定すると、下記式のように表される。
【数４５】
2005237114.tif 000048
【００７３】
また、Ｘ3"(z)は、以下の思想に基づいて作成されている。中間点のｘ座標X3(x)は、中間点という言葉通り、ジャンパ弛み度最下点X4の半分、言い換えれば支持点間の水平距離X0の約３０％の位置にある。図３０は、支持点間の水平距離X0を横軸に、該中間点のZ座標X3(z)を縦軸に取ったグラフと、その符号説明図で、各（イ）から（ホ）図は、ジャンパ弛み量や、ジャンパソケット出口角degが異なる条件のものである。これから、ジャンパ弛み量、ジャンパソケット出口角度に関係なく、該中間点のZ座標X3(z)は、支持点間の水平距離X0の１次式でほぼ表されることが分かる。図３１は、横軸に支持点間の水平距離X0を、縦軸には、該中間点のZ座標Ｘ3(z)をジャンパ弛み度最下点のZ座標Ｘ4(z)で割った比率を取ったものである。これから、支持点間の水平距離X0が短い場合は、電線の剛性の影響で比率が大きくなってＸ4(z)がＸ3(z)に近づき、支持点間の水平距離X0が長い場合は、わたり線の形状的に該中間点のX座標Ｘ3(x)が電線側に向かうので比率が小さくなるものと考えられる。そして、このような傾向を示す該中間点のZ座標Ｘ3(z)は、図３０に示す特性の線形近似により以下の推定式（４６）で表される。
【数４６】
2005237114.tif 000049
（Ｋ：補正係数）
但し、Ｚ0≦3000の時にはＫ＝0.98、Ｚ0＞3000の時には、Ｋ＝0.98-0.02/4000*(Ｚ0-3000)
【００７４】
また、Ｘ2"(x)Z=1000、Ｘ2"(x)Z=1500は、以下の思想に基づいて作成されている。図３２は、ジャンパソケット出口近傍点のＺ座標Ｘ2(z)として、１０００mmを設定し、横軸に支持点間の水平距離X0、縦軸にジャンパソケット出口近傍点のX座標Ｘ2(x)を取った実験結果を示すグラフとその符号説明図である。また、（イ）から（ニ）図は、ジャンパ弛み量や、ジャンパソケット出口角degを異ならせてある。これから、X0が小さい場合やジャンパソケット出口角degが小さい場合には、Ｘ2(x)が負の値を示すことが分かる。これは、電線の剛性の影響が現れることにより、わたり線形状がジャンパソケット出口よりも外側に膨らみを持つからと考えられる。このような傾向を示すジャンパソケット出口近傍点のX０座標Ｘ2(x)は、実規模試験から得られた下記２式（４７）（４８）を基本的に利用する。
Ｘ2(z)=1000の時は、
【数４７】
2005237114.tif 000050
Ｘ2(z)=1500の時は、
【数４８】
2005237114.tif 000051
【００７５】
また最下点X4、中間点X3、ソケット近傍点X2を求める際には、以下の表２の補正係数テーブルに示すように、ジャンパソケット傾き角degに対応する値を取る３つの補正係数K1、K2、K3を利用する。この補正係数テーブルは実規模試験より得られたものである。
【表２】
2005237114.tif 000052
【００７６】
上記した基本式と補正係数を利用して最下点X4の座標は、実規模試験の結果により、以下の３式（４９）（５０）（５１）で求められることが分かった。
【数４９】
2005237114.tif 000053
【数５０】
2005237114.tif 000054
【数５１】
2005237114.tif 000055
【００７７】
従って、上記思想に基づく、ジャンパ弛み度最下点座標算出ステップＳ４．６-３は、図１３に示すジャンパ弛み度最下点座標算出手段４６が機能して、まず若側で天線外側の最下点X4の座標を求めるために、ジャンパソケット傾き角degを記憶装置３０から読み込むと共に、その傾き角を前記表２に示す補正係数テーブルから検索して対応する補正係数K2を抽出し、一時的に保存する。そして、上記３式（４９）（５０）（５１）とそれに対応する変数を記憶装置３０から読み込み、計算式を解き、その計算結果を若側で天線外側用の最下点X4の各座標として記憶装置３０に保存する。以後、同様にして他の最下点の各座標を求め、それらを記憶装置３０に保存する。ジャンパ弛み度最下点座標算出ステップＳ４．６-３が終了すると、図１３に示す中間点座標算出手段４７が機能して、図２５に示すジャンパ弛み度最下点とジャンパソケット出口のＸ座標中間点座標算出ステップＳ４．６-４が実行される。
【００７８】
ジャンパ弛み度最下点とジャンパソケット出口のＸ座標中間点座標算出ステップＳ４．６-４は、以下の思想に基づいて作成されている。実規模試験の結果により、中間点X3の座標は以下の３式（５２）（５３）（５４）で求められることが分かった。
【数５２】
2005237114.tif 000056
【数５３】
2005237114.tif 000057
【数５４】
2005237114.tif 000058
また、X3"(x)は前述したように下記の基本式（５５）で表される。
【数５５】
2005237114.tif 000059
（Ｋ：補正係数）
但し、Ｚ0≦3000の時にはＫ＝0.98、Ｚ0＞3000の時には、Ｋ＝0.98-0.02/4000*(Ｚ0-3000)
【００７９】
従って、上記思想に基づく、ジャンパ弛み度最下点とジャンパソケット出口のＸ座標中間点座標算出ステップＳ４．６-４では、中間点座標算出算出手段４７が機能して、まず若側の天線外側用のZ0を記憶装置３０から読み込み、Z0がまず３０００以下か否かを判定し、その判定結果に対応する補正係数Ｋを記憶装置３０から検索して読み込む。続いて、上記基本式（５５）と、その変数（補正係数Ｋ以外のもの）を記憶装置３０から読み込んで、変数を代入して計算式を解き、その計算結果を若側の天線外側用の中間点X3のｚ座標として記憶装置３０に保存する。続いて、下記２式とそれに対応する変数を順次読み込む。
【数５６】
2005237114.tif 000060
【数５７】
2005237114.tif 000061
そして、各々の計算式に対応する変数を記憶装置３０から読み込み、各計算式に順次代入して計算式を解き、その計算結果を若側の天線外側用の中間点X3のｘ、ｙ座標として記憶装置３０に保存する。以後、同様にして他の中間点の各座標を求め、それらを記憶装置３０に保存する。ジャンパ弛み度最下点とジャンパソケット出口の中間点座標算出ステップＳ４．６-４が終了すると、図１３に示すジャンパソケット出口近傍点座標算出手段４８が機能して、ジャンパソケット出口近傍点座標算出ステップＳ４．６-５が実行される。
【００８０】
ジャンパソケット出口近傍点座標算出ステップＳ４．６-５は、以下の思想に基づいて作成されている。ソケット近傍点X2を求める際には、判別式Ｔ＝X0/Z0を利用する。そしてＴ＜1.01のとき下記３式（５８）（５９）（６０）を利用する。
【数５８】
2005237114.tif 000062
【数５９】
2005237114.tif 000063
【数６０】
2005237114.tif 000064
また、1.01≦Ｔ≦2.0のときは下記３式（６１）（６２）（６３）を利用する。
【数６１】
2005237114.tif 000065
【数６２】
2005237114.tif 000066
【数６３】
2005237114.tif 000067
また、T＞2.0のときは下記３式（６４）（６５）（６６）を利用する。
【数６４】
2005237114.tif 000068
【数６５】
2005237114.tif 000069
【数６６】
2005237114.tif 000070
これらは、Ｔと、Ｔに対応するX2(x)、X2(z)、X2(y)が関連づけられた選択テーブルとして記憶装置３０に保存してある。
【００８１】
従って、ジャンパソケット出口近傍点座標算出ステップＳ４．６-５は、ジャンパソケット出口近傍点座標算出手段４８が機能して、まず、若側の天線外側用のX0、Z0と、Ｔ＝X0/Z0の式を記憶装置３０から読み込み、その式に代入して計算式を解く。そして、その計算結果に対応するＴを選択テーブルから検索して該当するＴに対応する座標算出式を記憶装置３０から読み込み、その座標算出式の変数を記憶装置３０から読み込んで代入して解き、その計算結果を若側の天線外側用のソケット近傍点X2の各座標として記憶装置３０に保存する。以後同様にして、他のソケット近傍点を求め、それらを記憶装置３０に保存する。ジャンパソケット出口近傍点座標算出ステップＳ４．６-５が終了すると、わたり線の長さ算出手段４９が機能して、図１２に示すスプライン曲線の利用によるわたり線の長さ算出ステップＳ４．７が実行される。
【００８２】
スプライン曲線の利用によるわたり線の長さ算出ステップＳ４．７は、わたり線の長さ算出手段４９が機能して、まず若側の天線外側用のわたり線の模擬式を求めるために、７点を通過するスプライン曲線の一般式（説明省略）と、上述した要領で求めた７点の拘束点X0〜X6を記憶装置３０から読み込んで式に代入し、条件を反映させたスプライン曲線の模擬式を求める。そして、その模擬式Si(t)(i＝0〜5)を下記積分式（６７）に代入して、計算式を解き、その結果を若側の天線外側用のわたり線の長さとして記憶装置に保存する。
【数６７】
2005237114.tif 000071
同様にして、他のわたり線の長さを求めて記憶装置３０に保存する。スプライン曲線の利用によるわたり線の長さ算出ステップＳ４．７が終了すると、図１３に示す各部の長さ合計手段５０が機能して、各部の長さ合計ステップＳ４．８が実行される。
【００８３】
各部の長さを合計するステップＳ４．８では、各部の長さ合計手段５０が機能して、まず、若側と老側の外側天線用のわたり線の長さと、ジャンパ両端部のジャンパソケットへの挿入分の長さと、水平吊架材両端のスペーサーの支持点の間隔分を、記憶装置３０から読み込んで、その合計値を算出し、その算出結果を記憶装置３０に保存する。ここで、ジャンパソケットへの挿入分の長さは、図１８中の、ジャンパソケット挿入寸法に対応する。また、同様にして、内側天線用、外側地線用、内側地線用のジャンパ実長を算出し、記憶装置３０に保存する。
【００８４】
各部の長さを合計するステップＳ４．８が終了すると、ジャンパの実長を出力するステップＳ５が実行され、図１３に示すジャンパの実長の出力手段３４が機能して、図３３に示すように、ジャンパの実長を天線外側・内側、地線外側・内側に分けて表示装置２７に出力する。
【００８５】
上述のプログラムは、ジャンパ用の電線購入の発注段階でメーカーに必要長さ箇所をジャンパ用の電線にマーキングさせるために用いることもできる。そして、ジャンパを実際の取り付ける施工時においては、上述したプログラムを実行して、同じ手順で入力フォームに数値を入力していき、気象条件入力フォームの計算温度に、実際の施工温度を入力することによって、温度変化による伸縮具合を考慮して、必要なジャンパの実長を把握できる。
【００８６】
また、ジャンパの実長をさらに高精度に求めるには、別途、図１９に示すように現地補正条件入力フォーム５１を表示装置２７に出力し、その入力フォームに利用者が入力したことを受けて、ジャンパの実長を再計算し、その計算結果を表示装置に出力するステップを、上述したプログラムに関連づけて設けることが望ましい。例えば、前述した要領でジャンパ実長を求めた後にプログラムを一旦、終了させると、次回、本プログラムを実行させると、現地補正条件入力フォーム５１が表示装置２７に出力されるようにする。現地補正条件入力フォーム５１は、施工時の気温、若側・老側バーニヤ調整量、天線・地線の外、内、の各文字表示と、その文字表示付近の数値入力欄が設けてある。このバーニヤ調整量とは、電線４をがいし装置３を介してアーム２に取り付ける際には、電線４の張り具合を最適な条件とするために、がいし装置３のバーニヤ金具１５を基準となる長さから伸縮させた量（長さ）のことである（図５参照）。そして、数値入力欄に利用者が数値を入力し、入力フォーム内の「再計算」ボタンをクリックすると、ジャンパ実長計算手段３３中のジャンパソケット出口座標算出手段４２が機能して（図１３参照）、前回求めたジャンパソケット出口座標を記憶装置３０から読み込み、そのジャンパソケット出口座標にバーニヤ調整量を加算して、再度、ジャンパソケット出口座標を算出し、以後、同様にして、ジャンパ実長を算出し、その算出結果を表示装置２７に出力する。
【００８７】
本発明は上記実施形態に限定されない。例えば、上述した各種の入力フォームは、必ずしも独立したものでなくても良い。つまり、複数の入力フォームが一つにまとまって、入力フォームの個数を減少させたものでも良いし、逆に増加させたものでも良いし、各入力フォーム中の文字表示及びその文字表示用の数値入力欄が、別の入力フォーム中に設けてあっても良い。
【図面の簡単な説明】
【００８８】
【図１】本発明の吊架式ジャンパ装置の概略図である。
【図２】（イ）図、（ロ）図は吊架式ジャンパ装置の一部を示す正面図、その一部拡大図である。
【図３】がいし装置とジャンパとの関係を示す簡易正面図である。
【図４】（イ）図、（ロ）図はクランプ装置を示す正面図、左側面図である。
【図５】（イ）図、（ロ）図はがいし装置を示す平面図、正面図である。
【図６】老側のがいし装置を示す簡易正面図である。
【図７】電線の曲線の形を表す簡易図である。
【図８】水平吊架材とスペーサーとの関係を示す断面図である。
【図９】水平吊架材と斜吊材との連結関係を示す正面図である。
【図１０】コンピュータのハードを示す概略図である。
【図１１】本プログラムの処理の前段階を示すフローチャートである。
【図１２】プログラムの処理の後半部分を示すフローチャートである。
【図１３】コンピュータで本プログラムを実行する構成を示すブロック図である。
【図１４】線路条件入力フォームを示す図である。
【図１５】電線条件入力フォームを示す図である。
【図１６】気象条件入力フォームを示す図である。
【図１７】がいし装置条件入力フォームを示す図である。
【図１８】吊架式ジャンパ装置条件入力フォームを示す図である。
【図１９】現地補正条件入力フォームを示す図である。
【図２０】わたり線と水平角等との関係を示す簡易平面図である。
【図２１】ジャンパソケット角の説明図である。
【図２２】施工時張力の算出の仕方を示すフローチャートである。
【図２３】吊架装置支持点座標算出ステップの詳細なフローチャートである。
【図２４】（イ）（ロ）（ハ）の各図は、吊架式ジャンパ装置の簡易平面図、老側の拡大図、一部の拡大図である。
【図２５】わたり線の他の５箇所の拘束点を算出するステップを詳細に示すフローチャートである。
【図２６】わたり線が７点の拘束点を通ることを説明する図面である。
【図２７】（イ）〜（ト）図は支持点間水平距離と弛み度最下点の水平距離との関係を示すグラフ、（チ）図は符号の説明図である。
【図２８】弛み度最下点の水平距離の傾向を把握するグラフである。
【図２９】（イ）、（ハ）図はX0等の符号の説明、弛み度最下点に対する水平距離X0の影響度を示し、（ロ）、（ニ）図は、X0等の符号の説明、垂直距離Z0の影響度を示すグラフである。
【図３０】（イ）〜（ホ）図は弛み度最下点水平距離の半分位置における垂直距離を示すグラフで、（ヘ）図はX0等の符号の説明図である。
【図３１】弛み度最下点とその中間点の各Ｚ成分に対する水平距離の関係を示すグラフである。
【図３２】（イ）〜（ニ）図はジャンパソケット近傍点と支持点間水平距離の関係を示すグラフ、（ホ）図はX0等の符号の説明図である。
【図３３】算出結果を示す出力画面である。
【符号の説明】
【００８９】
２  アーム
３  がいし装置
４  電線
５  ジャンパ
７  ジャンパソケット
８  スペーサー
９  水平吊架材
１０  斜吊材
２６  入力装置
２７  表示装置
３０  記憶装置
３５  線路条件入力フォーム
３６  電線条件入力フォーム
３７  気象条件入力フォーム
３８  がいし装置条件入力フォーム
３９  吊架式ジャンパ装置条件入力フォーム
【図１】
2005237114.tif 000072
【図２】
2005237114.tif 000073
【図３】
2005237114.tif 000074
【図４】
2005237114.tif 000075
【図５】
2005237114.tif 000076
【図６】
2005237114.tif 000077
【図７】
2005237114.tif 000078
【図８】
2005237114.tif 000079
【図９】
2005237114.tif 000080
【図１０】
2005237114.tif 000081
【図１１】
2005237114.tif 000082
【図１２】
2005237114.tif 000083
【図１３】
2005237114.tif 000084
【図１４】
2005237114.tif 000085
【図１５】
2005237114.tif 000086
【図１６】
2005237114.tif 000087
【図１７】
2005237114.tif 000088
【図１８】
2005237114.tif 000089
【図１９】
2005237114.tif 000090
【図２０】
2005237114.tif 000091
【図２１】
2005237114.tif 000092
【図２２】
2005237114.tif 000093
【図２３】
2005237114.tif 000094
【図２４】
2005237114.tif 000095
【図２５】
2005237114.tif 000096
【図２６】
2005237114.tif 000097
【図２７】
2005237114.tif 000098
【図２９】
2005237114.tif 000099
【図３０】
2005237114.tif 000100
【図３１】
2005237114.tif 000101
【図３２】
2005237114.tif 000102
【図３３】
2005237114.tif 000103
【図２８】
2005237114.tif 000104